(57)【特許請求の範囲】
【請求項１】
支持ブラケットに回転可能に支持された巻取軸から閉鎖部材を吊下支持し、前記巻取軸に前記閉鎖部材を巻取り、あるいは巻戻して前記閉鎖部材を昇降し、前記巻取軸に前記閉鎖部材の巻ずれを防止する調整部材を備えた巻取閉鎖装置において、
前記閉鎖部材を全て巻き戻した状態の前記巻取軸に対し、前記巻取軸の外周面上を同巻取軸の軸方向にスライド可能とした調整部材を、前記巻取軸に対し周方向に相対移動不能に支持したことを特徴とする巻取閉鎖装置。
【請求項２】
前記調整部材は、弾性を有する薄板で、一部を開口した円筒状に形成して前記巻取軸に対し周方向に相対回転不能に支持するとともに、開口縁に前記巻取軸に対し周方向に係合する係合部を備えたことを特徴とする請求項１記載の巻取閉鎖装置。
【請求項３】
前記調整部材の外径を前記巻取軸の軸方向に連続的に変化するように形成し、前記調整部材の外径の大きい端部を前記巻取軸の端部側として、前記調整部材を前記巻取軸の両端部に嵌合したことを特徴とする請求項１又は２記載の巻取閉鎖装置。
【請求項４】
前記調整部材及び巻取軸には、前記巻取軸に対するスライド距離を規定するガイド部を設けたことを特徴とする請求項３記載の巻取閉鎖装置。
【請求項５】
前記調整部材は、軸方向に肉厚を連続的に変化させ、前記調整部材の開口縁の肉厚を一定とし、かつ肉厚が連続的に変化するように厚肉部分を削ぎ落とした切除部を備えたことを特徴とする請求項３又は４記載の巻取閉鎖装置。
【請求項６】
前記巻取軸に、前記調整部材を取着する凹条を設けたことを特徴とする請求項１記載の巻取閉鎖装置。
【請求項７】
前記凹条は、前記巻取軸に対する前記閉鎖部材の取付位置から前記閉鎖部材の巻取り方向に隣接して位置し、前記調整部材は前記凹条から前記閉鎖部材の巻取り方向に該巻取軸を覆うように取着したことを特徴とする請求項６記載の巻取閉鎖装置。
【請求項８】
閉鎖部材を巻き取る巻取軸に取着して、前記閉鎖部材の巻ずれを防止する調整部材において、前記閉鎖部材を全て巻き戻した状態の前記巻取軸に対し、前記巻取軸の軸方向にスライド可能とするとともに、前記巻取軸に対し相対回転不能とした係合部を備えたことを特徴とする巻取閉鎖装置の調整部材。
【発明の詳細な説明】
【技術分野】
【０００１】
この発明は、ロールブラインドのスクリーン等に巻ずれが生じないように調整する巻ずれ調整部材に関するものである。
【背景技術】
【０００２】
ロールブラインドは、取付面に回転可能に支持された巻取軸からスクリーンが垂下され、巻取軸をスクリーン巻取り方向に回転操作することにより、スクリーンが巻取軸に巻き取られて上昇する。また、巻取軸をスクリーン巻き戻し方向に回転操作することにより、スクリーンが巻取軸から巻き戻されて下降する。
【０００３】
このようなロールブラインドでは、スクリーンが巻取軸に巻き取られるとき、スクリーンが巻取軸の長手方向にずれながら巻き取られるいわゆる巻ずれが発生することがある。
そこで、ロールブラインドの組み立て工程中において、あるいはロールブラインドの設置現場において、巻取軸の外周面に調整シールを貼着して巻取軸の巻径を微調整することにより巻ずれを補正する補正処理が行われている。
【０００４】
特許文献１には、スクリーントップ把持部材をねじって回転円筒体に止着解除可能としたロールブラインドが開示されている。
【先行技術文献】
【特許文献】
【０００５】
【特許文献１】特公平１−１２９１６号公報
【発明の概要】
【発明が解決しようとする課題】
【０００６】
前者のようなロールブラインドでは、スクリーンを交換したり、あるいはスクリーンを洗濯するために巻取軸から外し、洗濯後に再度巻取軸に取り付ける場合、巻ずれの方向あるいはずれ量が変わってしまうことがある。このような場合には、調整シールを貼り直したり、追加して貼着する等の煩雑な作業が必要となる。
【０００７】
特許文献１に開示されたロールブラインドでは、巻ずれを解消するためにスクリーントップ把持部材をねじる量を調整することが容易ではない。また、調整後に粘着テープによる粘着位置がずれてしまうこともある。従って、巻ずれを解消するための作業が煩雑となるという問題点がある。
【０００８】
この発明の目的は、閉鎖部材の巻ずれ調整作業を容易に行い得る巻取閉鎖装置を提供することにある。
【課題を解決するための手段】
【０００９】
請求項１では、支持ブラケットに回転可能に支持された巻取軸から閉鎖部材を吊下支持し、前記巻取軸に前記閉鎖部材を巻取り、あるいは巻戻して前記閉鎖部材を昇降し、前記巻取軸に前記閉鎖部材の巻ずれを防止する調整部材を備えた巻取閉鎖装置において、前記閉鎖部材を全て巻き戻した状態の前記巻取軸に対し、前記巻取軸の外周面上を同巻取軸の軸方向にスライド可能とした調整部材を、前記巻取軸に対し周方向に相対移動不能に支持した。
【００１０】
請求項２では、前記調整部材は、弾性を有する薄板で、一部を開口した円筒状に形成して前記巻取軸に対し周方向に相対回転不能に支持するとともに、開口縁に前記巻取軸に対し周方向に係合する係合部を備えた。
【００１１】
請求項３では、前記調整部材の外径を前記巻取軸の軸方向に連続的に変化するように形成し、前記調整部材の外径の大きい端部を前記巻取軸の端部側として、前記調整部材を前記巻取軸の両端部に嵌合した。
【００１２】
請求項４では、前記調整部材及び巻取軸には、前記巻取軸に対するスライド距離を規定するガイド部を設けた。
請求項５では、前記調整部材は、軸方向に肉厚を連続的に変化させ、前記調整部材の開口縁の肉厚を一定とし、かつ肉厚が連続的に変化するように厚肉部分を削ぎ落とした切除部を備えた。
【００１３】
請求項６では、前記巻取軸に、前記調整部材を取着する凹条を設けた。
請求項７では、前記凹条は、前記巻取軸に対する前記閉鎖部材の取付位置から前記閉鎖部材の巻取り方向に隣接して位置し、前記調整部材は前記凹条から前記閉鎖部材の巻取り方向に該巻取軸を覆うように取着した。
【００１４】
請求項８では、閉鎖部材を巻き取る巻取軸に取着して、前記閉鎖部材の巻ずれを防止する調整部材において、前記閉鎖部材を全て巻き戻した状態の前記巻取軸に対し、前記巻取軸の軸方向にスライド可能とするとともに、前記巻取軸に対し相対回転不能とした係合部を備えた。
【発明の効果】
【００１５】
本発明によれば、閉鎖部材の巻ずれ調整作業を容易に行い得る巻取閉鎖装置を提供することができる。
【図面の簡単な説明】
【００１６】
【図１】ロールブラインドを示す正面図である。
【図２】ロールブラインドを示す側面図である。
【図３】第一の実施形態の調整部材を示す側面図である。
【図４】第一の実施形態の調整部材と巻取軸を示す側面図である。
【図５】第二の実施形態の調整部材を示す側面図である。
【図６】第二の実施形態の調整部材と巻取軸を示す側面図である。
【図７】第三の実施形態の調整部材を示す斜視図である。
【図８】第三の実施形態の調整部材を示す断面図である。
【図９】第三の実施形態の調整部材の作用を示す断面図である。
【図１０】第三の実施形態の調整部材の作用を示す断面図である。
【図１１】第三の実施形態のロールブラインドを示す正面図である。
【図１２】第四の実施形態の調製部材及び巻取軸を示す側面図である。
【図１３】第四の実施形態の調整部材を示す斜視図である。
【図１４】第五の実施形態の調整部材を示す斜視図である。
【発明を実施するための形態】
【００１７】
（第一の実施形態）
以下、この発明を具体化したロールブラインドの巻ずれ調整装置の第一の実施形態を図１〜図４に従って説明する。
【００１８】
図１及び図２に示すロールブラインドは、取付ブラケット１を介して取付面に固定されるフレーム２の両端に支持ブラケット３が取着され、その支持ブラケット３間に巻取軸４が回転可能に支持されている。そして、巻取軸４からスクリーン５が垂下され、そのスクリーン５の下端にボトムレール６が吊下支持されている。
【００１９】
前記巻取軸４の一端は操作装置７を介して前記支持ブラケット３に支持され、操作装置７に設けられるプーリーから無端状のボールチェーン８が垂下されている。そして、ボールチェーン８の操作により、巻取軸４を正逆方向に回転操作可能となっている。
【００２０】
ボールチェーン８を操作して、巻取軸４をスクリーン巻取り方向に回転させると、巻取軸４にスクリーン５が巻き取られてスクリーン５が上昇する。また、巻取軸４をスクリーン巻き戻し方向に回転させると、巻取軸４からスクリーン５が巻き戻されてスクリーン５が下降する。
【００２１】
前記巻取軸４には、前記スクリーン５の巻ずれを調整する調整部材１１が嵌着されている。この調整部材１１は、図３に示すように、弾性を有する合成樹脂の薄板で一部を開口した円筒状に形成され、その内径は前記巻取軸４の外径より若干小さい径で形成されている。調整部材１１の開口部は、調整部材１１を巻取軸４に嵌合していない状態で、円筒の中心に対し約７０度の範囲で開口されている。また、調整部材１１を巻取軸４に嵌合した状態では、開口部が約９０度の範囲で開口され、図２に示す生地押さえ１０には被さらないようになっている。また、調整部材１１の長さは、巻取軸４の長さに比べて充分に短い長さで形成される。
【００２２】
前記調整部材１１には、開口部を構成する一方の開口端に、前記巻取軸４の外周面に設けられる凹条１２に係合する係止片１３が形成されている。係止片１３の先端には返し部が形成されている。
【００２３】
前記巻取軸４はアルミ形材で形成され、その外周面上に形成された凹条１２は、底面に係止片１３が係合し、開口部の幅は返し部が当たって抜けないように狭く形成されている。図２に示すように、凹条１２に連なる用に、生地押え１０の取付部として凹溝が形成され、その凹溝の中間部に突起が形成されている。
【００２４】
そして、その突起に生地押えが弾性的に着脱可能に取着されている。また、凹溝に生地押え１０の後端縁の厚み分だけの段差が形成され、生地押え１０の外側から沿うスクリーン５が生地押さえ１０の外周から係止片１３の外周、さらに調整部材１１の外周へと段差のないように巻き取られるようになっている。
【００２５】
前記調整部材１１は、例えばポリカーボネート等の折曲げ加工可能な合成樹脂で平板状に形成され、次いで一方の端部に係止片１３が折曲げ形成され、次いで円筒状に屈曲される。
【００２６】
そして、巻取軸４に図２に示す生地押え１０を介してスクリーン５を取り付けた後に、巻取軸４からスクリーン５を全て巻き戻した状態で、調整部材１１の開口部を弾性的に拡開しながら、同調整部材１１を巻取軸４の軸方向に直交する方向（径方向）から同巻取軸４に嵌合可能となっている。このロールブラインドを窓枠等に設置状態では、ロールブラインドの正面方向から、すなわち図２において巻取軸４の右方から巻取軸４に嵌合可能である。
【００２７】
次に、上記のような調整部材１１の作用を説明する。上記ロールブラインドの組み立て後の巻ずれ調整工程において、スクリーン５を巻取軸４に巻き取る試行操作でスクリーン５に巻ずれが生じる場合には、巻取軸４からスクリーン５を全て巻き戻した状態で、巻取軸４に調整部材１１を嵌合する。
【００２８】
そして、調整部材１１を嵌合した状態で巻ずれが発生するか否かを再度試行操作し、巻ずれが発生する場合にはスクリーン５を巻取軸４から全て巻き戻す。
次いで、図１において、矢印Ａ方向の巻ずれが発生する場合には、調整部材１１を矢印Ｂ方向に移動させる。また、矢印Ｂ方向の巻ずれが発生する場合には、調整部材１１を矢印Ａ方向に移動させる。そして、スクリーン５を巻き取って、巻ずれが確認されれば、スクリーン５を巻戻して再度微調整する。このような作業により、巻ずれが発生しなくなるまで調整部材９の位置調整を繰り返す。
【００２９】
また、ロールブラインドの設置現場で、設置後にスクリーン５を巻取軸４に巻取る試行操作でスクリーン５に巻ずれが生じる場合にも同様の作業を行う。
ロールブラインドの組み立て工程で巻ずれがなく、調整部材９を巻取軸４に取着していないとき、ロールブラインドを設置現場で設置後に、スクリーン５を巻取軸４に巻き取る試行操作でスクリーン５に巻ずれが生じる場合には、巻取軸４からスクリーン５を全て巻き戻した状態で、巻取軸４に調整部材１１を嵌合する。
【００３０】
そして、調整部材１１を嵌合した状態で巻ずれが発生するか否かを再度試行操作し、巻ずれが発生する場合にはスクリーン５を巻取軸４から全て巻き戻す。
そして、図１において、矢印Ａ方向の巻ずれが発生する場合には、調整部材１１を矢印Ｂ方向に移動させ、矢印Ｂ方向の巻ずれが発生する場合には、調整部材１１を矢印Ａ方向に移動させる。このような操作により、巻ずれが発生しなくなるように調整部材１１を適宜移動させて調整する。
【００３１】
上記のように構成された調整装置１１では、次に示す効果を得ることができる。
（１）調整部材１１を巻取軸４に沿って移動させることにより、スクリーン５の巻ずれを調整することができる。
（２）ロールブラインドの組立て後に、調整部材１１を巻取軸４に対しその径方向に容易に取着することができる。
（３）組立工程後の巻ずれ調整工程で、必要に応じて調整部材１１を巻取軸４に取着し、その調整部材１１を巻取軸４に沿って移動させることにより、巻ずれを解消するように容易に調整することができる。
（４）ロールブラインドの設置現場で巻ずれが生じた場合には、巻取軸４に調整部材１１を取着し、その調整部材１１を巻取軸４に沿って適宜スライドさせることにより、設置現場でも巻ずれを調整することができる。
（５）スクリーンを交換したり、あるいはスクリーンを洗濯するために巻取軸から外し、洗濯後に再度巻取軸に取り付ける場合にも、巻ずれの調整を容易に行うことができる。
（６）調整部材１１の係止片１３を凹条１２に係合させることにより、巻取軸４の周方向への調整部材１１の回動を阻止することができる。従って、スクリーン５の巻取軸４への巻き取り開始位置に、調整部材１１の開口部の端縁が干渉しないように調整部材１１を巻取軸４の周方向に位置決めすることができる。この結果、昇降にともなうスクリーン５の巻き取り開始位置への調整部材１１の開口部の端縁の干渉による巻ずれの発生を防止することができるとともに、スクリーン５での巻き痕の発生を防止することができる。
（７）ポリカーボネート樹脂を使用して、透明な調整部材１１を形成することができる。従って、スクリーン５を全て巻き戻したとき、露出される巻取軸４の美観を大きく低下させることはない。
（第二の実施形態）
図５及び図６は、第二の実施形態を示す。この実施形態の調整部材２１は射出成形で形成され、開口部の一方の端縁に円筒の中心に向かって突出する係止片２２が形成されている。
【００３２】
この調整部材２１は、厚さ０.４ｍｍのＰＯＭで形成されて、巻取軸４に嵌合しない状態で開口部の角度が中心に対し約７０度、内径がφ３７で形成され、巻取軸４に嵌合した状態では、開口部の角度が約９０度、内径がφ４０となるように形成されている。
【００３３】
このような構成により、第一の実施形態と同様な効果を得ることができる。また、ポリカーボネート樹脂で成形して、係止片２２を折曲げて形成してもよい。また、係止片２２に返し部がないので、第一の実施形態と同様に巻取軸４の正面方向に取り外すことができるとともに、第一の実施形態で得られた（６）の効果と同様な効果を得ることができる。
（第三の実施形態）
図７〜図１１は、第三の実施形態を示す。この実施形態は、調整部材の外径を前記巻取軸４の軸方向に連続的に変化するように形成し、その調整部材を巻取軸の両端部に取着したものである。
【００３４】
図７及び図８に示す調整部材２５は、合成樹脂で一部を開口した円筒状に形成されているが、その軸方向の一端側の外径Ｒ１が、他端側の外径Ｒ２より大きく形成され、例えばＲ１はφ４０．８ｍｍであるのに対し、Ｒ２はφ３８．８ｍｍである。調整部材１４の内径Ｒ３は一定で、前記巻取軸４の直径よりやや小さいφ３８ｍｍで形成されている。
【００３５】
また、外径Ｒ１，Ｒ２が異なることから、図８に示すように、調整部材２５の肉厚は他端側から一端側に向かって厚くなる。そこで、開口端の肉厚を一定とし、かつ肉厚が連続的に変化するように厚肉部分を削ぎ落とした切除部２６が形成されている。
【００３６】
前記調整部材２５の内周面上において、前記開口部に対向する位置には、調整部材２５の軸方向に延びる長円状のガイド突部２７が形成されている。
図９に示すように、前記巻取軸４の両端部には前記ガイド突部２７を嵌合可能とし、かつガイド突部２７を巻取軸４の長手方向にスライド可能に支持するガイド孔２８が設けられている。
【００３７】
このように構成された調整部材２５は、図９に示すように、調整部材２５の一端側すなわち肉厚側を巻取軸４の端部側として巻取軸４の両端部外周面上に嵌着される。すると、図１０に示すように、調整部材２５はガイド孔２８に沿って巻取軸４の長手方向に若干スライド可能に支持される。
【００３８】
そして、図１１において、スクリーン５の巻き取り動作時に矢印Ｃ方向、すなわち巻取軸４の左端側への巻ずれが生じるときには、巻取軸４の左端側に取着された調整部材２５を矢印Ｆ方向、すなわち巻取軸４の左端側にスライドさせる。また、スクリーン５の巻き取り動作時に矢印Ｅ方向、すなわち巻取軸４の右端側への巻ずれが生じるときには、巻取軸４の右端側に取着された調整部材２５を矢印Ｄ方向、すなわち巻取軸４の右端側にスライドさせる。すると、スクリーン５の巻ずれが抑制され、あるいは阻止される。
【００３９】
このように構成された調整部材２５は、前記第一の実施形態で得られた効果に加えて、次に示す効果を得ることができる。
（１）巻取軸４の両端部に取着した調整部材２５を巻取軸４に沿ってスライドさせることにより、巻ずれを調整することができる。
（２）巻取軸４の両端部に外径が連続的に変化する調整部材２５をスライド可能に支持したので、調整部材２５の僅かな移動だけで巻ずれを調整することができる。
（第四の実施形態）
図１２及び図１３は、第四の実施形態を示す。この実施形態は、図１３に示すように、柔軟性を備えた軟質合成樹脂のシート材で調整部材４１を形成し、そのシート材の一端に、巻取軸４の生地押え取付部分に、生地押えを取り付ける凹条とは別に形成された凹条１２に弾性的に嵌合する保持部４３が形成されている。保持部４３は、凹条１２に対し巻取軸４の長手方向に移動可能に嵌合される。そして、巻取軸４を支持ブラケット３に支持する前に、あらかじめ凹状１２内に挿入しておくものである。
【００４０】
このような構成により、調整部材４１を巻取軸４に対し径方向に取着可能であり、調整部材４１の取付位置を巻取軸４の長手方向に調整することにより、スクリーンの巻ずれを調整することができる。保持部４３は、凹条１２から外れず、確実二周方向に位置決めすることができる。
【００４１】
また、保持部４３に比してシート状部分を薄く形成してもよい。スクリーン５を巻き戻せば、巻取軸４の正面方向に取り外すこともできる。
（第五の実施形態）
図１４は、第五の実施形態を示す。この実施形態は、円筒状の芯材４４にスクリーン５の幅より充分狭い幅のスクリーン生地にてなるシート材の端部を巻回して縫着することにより保持部４３を形成し、第四の実施形態と同様な調整部材４１を形成したものである。
【００４２】
このような構成により、調整部材４１を巻取軸４に対し径方向あるいは巻取軸の端部側からスライドして凹条１２に取着可能であり、調整部材４１の取付位置を巻取軸４の長手方向に調整することにより、スクリーンの巻ずれを調整することができる。また、スクリーン５を巻き戻した際に、露出される調整部材４１とスクリーン５との意匠を統一することができる。
【００４３】
上記実施形態は、以下の態様で実施してもよい。
・各実施形態において、調整部材は弾性を有する金属の薄板としてもよい。
・各実施形態において、製品出荷時には調整部材を巻取軸に取着せず、調整用部品として製品に同梱するようにしてもよい。
・巻取軸４に取着した生地押さえ１０に、前記巻取軸４の凹条１２、リブ４２あるいはガイド孔２８に相当する嵌合部を設け、その嵌合部に上記各実施形態の調整部材を嵌合するようにしてもよい。
・ロールブラインド以外に、巻取軸に閉鎖部材を巻取りあるいは巻戻して閉鎖部材を昇降する巻取り閉鎖装置に実施してもよい。
【符号の説明】
【００４４】
３…支持ブラケット、４…巻取軸、５…閉鎖部材（スクリーン）、１１，２１，２５，４１…調整部材、１３，２２…係合部（係止片）、２６…切除部、２７…ガイド部（ガイド突部）、２８…ガイド部（ガイド孔）。
【図１】
0005770531.tif 000002
【図２】
0005770531.tif 000003
【図３】
0005770531.tif 000004
【図４】
0005770531.tif 000005
【図５】
0005770531.tif 000006
【図６】
0005770531.tif 000007
【図７】
0005770531.tif 000008
【図８】
0005770531.tif 000009
【図９】
0005770531.tif 000010
【図１０】
0005770531.tif 000011
【図１１】
0005770531.tif 000012
【図１２】
0005770531.tif 000013
【図１３】
0005770531.tif 000014
【図１４】
0005770531.tif 000015